(57)【要約】  光学システムは、取付面を画成する光学台と、光学台に取り付けられた対物レンズと、画像増強管と、を有する。画像増強管は、（ｉ）内部領域及び取付面を画成するハウジングと、（ii）面板表面を画成するガラス面板に結合された光電陰極と、を具備し、光電陰極は、ハウジングの内部領域内に位置し、ハウジングの取付面は、面板表面と同一平面にある。光学台の取付面は、光学台の取付面が面板表面と同一平面にあり、且つ、面板の面板表面が、対物レンズの最も近くに位置する面板の表面となるように画像増強管のハウジングの取付面に取り付けられる。
2013539870.tif 000002
【特許請求の範囲】
【請求項１】
光学システムであって、
取付面を画成する光学台と、
該光学台に取り付けられた対物レンズと、
（ｉ）内部領域及び取付面を画成するハウジングと（ii）面板表面を画成するガラス面板に結合された光電陰極とを有する画像増強管であって、前記光電陰極が前記ハウジングの前記内部領域内に配置され、前記ハウジングの前記取付面が前記面板表面と同一平面にある画像増強管と、を具備し、
前記光学台の前記取付面は、前記光学台の前記取付面が前記面板表面と同一平面にあり、前記ガラス面板の前記面板表面が前記対物レンズの最も近くに位置する前記ガラス面板の表面であるように前記画像増強管のハウジングの前記取付面に取り付けられた光学システム。
【請求項２】
前記画像増強管のハウジングの内部内に充填された充填材を更に具備する請求項１に記載の光学システム。
【請求項３】
前記画像増強管のハウジングに取り付けられたカバーを更に具備する請求項１に記載の光学システム。
【請求項４】
前記光学台又は前記画像増強管のハウジングのいずれかに取り付けられた配置ピンと、他方の前記光学台及び前記画像増強管のハウジングに配置された穴と、を更に具備し、前記穴が前記配置ピンを受容するようにサイズ化され、前記配置ピン及び前記穴が前記対物レンズに対して前記画像増強管を配置するために使用される請求項１に記載の光学システム。
【請求項５】
前記画像増強管のハウジングを前記光学台に取り付けるための３つの締結具を更に具備する請求項１に記載の光学システム。
【請求項６】
前記面板表面及び前記光電陰極が、前記ガラス面板の対向する側部に位置する請求項１に記載の光学システム。
【請求項７】
前記対物レンズの光軸が、前記面板表面に対して略垂直な請求項１に記載の光学システム。
【請求項８】
前記対物レンズの光軸及び前記画像増強管が、略一直線上にある請求項１に記載の光学システム。
【請求項９】
光学システムであって、
画像増強管であって、
内部領域及び取付面を画成するハウジングであって該ハウジングの前記取付面が当該光学システムの取付面と接合するように構成されたハウジングと、
面板表面を画成するガラス面板に結合された光電陰極であって前記ガラス面板が前記ハウジングの前記内部領域内に位置する光電陰極と、
前記ハウジングに取り付けられたカバーと、を有する画像増強管を具備し、
前記ハウジングの前記取付面が、前記ガラス面板の前記面板表面と同一平面にある光学システム。
【請求項１０】
前記画像増強管のハウジングの前記内部領域内に充填された充填材を更に具備する請求項９に記載の前記光学システム。
【請求項１１】
前記ハウジングの前記取付面が、前記面板表面と同一平面である請求項９に記載の光学システム。
【請求項１２】
前記面板表面及び前記光電陰極が、前記ガラス面板の対向する側部に位置する請求項９に記載の光学システム。
【請求項１３】
前記ガラス面板の前記面板表面が、前記カバーを通して露出される請求項９に記載の光学システム。
【請求項１４】
光学システムを組み立てる方法であって、
対物レンズを光学台の取付面に隣接した前記光学台に取り付けるステップと、
面板に結合された光電陰極を有する前記面板を、画像増強管のハウジングの取付面が面板表面と同一平面となるように前記画像増強管のハウジングに取り付けるステップと、
前記画像増強管のハウジングの前記取付面を、前記光学台の前記取付面が前記面板表面と略同一平面であり、前記面板の前記面板表面が前記対物レンズの最も近くに位置する前記面板の表面であり、且つ、前記対物レンズの光軸が前記面板表面に対して略垂直となるように、前記光学台の前記取付面と結合するステップと、を含む方法。
【発明の詳細な説明】
【技術分野】
【０００１】
本発明は、光学システム、画像増強管、及び、画像増強管を光学システムに取り付ける方法に関する。
【背景技術】
【０００２】
画像装置は、光学システムの所定の視線、画像位置調整及び解像度要求に適合させるため、光学システム内に適切に配置されなければならない。光学システムは、例えばカメラ、カムコーダー、暗視ゴーグル又は暗視スコープであってもよい。画像装置は、例えばＣＣＤ（電荷結合素子）又はＣＭＯＳ（相補型金属酸化膜半導体）のような画像増強管又は画像装置であってもよい。
【発明の概要】
【発明が解決しようとする課題】
【０００３】
光学システムのハウジングにより生じる画像装置とその対物レンズとの間の不整合は、光学システム及びその光学システムの使用者によって観察される画像を歪ませる。画像装置、画像装置を組み立てるための方法、及び、光学システムの視線、画像位置調整及び解像度要求に適合するために画像装置を光学システムのハウジング又は構成要素へと組み立てるための方法の更なる改良及び改善のための継続的な必要性がある。
【課題を解決するための手段】
【０００４】
本発明に係る態様によれば、光学システムは、取付面を画成する光学台と、光学台に取り付けられた対物レンズと、画像増強管と、を具備する。画像増強管は、ｉ）内部領域及び取付面を画成するハウジングと、（ii）面板表面を画成するガラス面板に結合された光電陰極と、を有し、光電陰極は、ハウジングの内部領域内に位置し、ハウジングの取付面は、面板表面と同一平面にある。光学台の取付面は、光学台の取付面が面板表面と同一平面にあり、面板の面板表面が対物レンズの最も近くに位置する面板の表面となるように画像増強管のハウジングの取付面に取り付けられている。
【０００５】
本発明に係る別の態様によれば、光学システムは、画像増強管であって、（ｉ）内部領域及び取付面を画成するハウジングであって、ハウジングの取付面が、光学システムの取付面と接合するように構成されたハウジングと、（ii）面板表面を画成するガラス面板に結合された光電陰極であって、面板がハウジングの内部領域内に位置する光電陰極と、（iii ）ハウジング及び面板に取り付けられたカバーと、を有する画像増強管を具備する。ハウジングの取付面は、面板表面と同一平面にある。
【０００６】
本発明に係る別の態様によれば、光学システムの組立方法が開示される。方法は、（ｉ）対物レンズを光学台の取付面に隣接した光学台に取り付けるステップと、（ii）面板に結合された光電陰極を有する面板を画像増強管のハウジングの取付面が面板表面と同一平面となるように画像増強管のハウジングに取り付けるステップと、（iii ）画像増強管のハウジングの取付面を、光学台の取付面が面板表面と略同一平面であり、面板の面板表面が対物レンズの最も近くに位置する面板の表面であり、且つ、対物レンズの光軸が面板表面に対して略垂直となるように、光学台の取付面と結合するステップと、を含む。
【０００７】
本発明に係るこれらの態様及び他の態様は、図面と共に考慮することにより以下の詳細な説明から明白になる。当然のことながら、以下の説明は、単に本発明に係る好適な実施形態を示したものにすぎない。しかしながら、本発明は、説明された実施形態に限定されるものではなく、添付の特許請求の範囲によってこの詳細が限定されるにすぎない。
【０００８】
本発明は、添付の図面と共に参照することにより、詳細な説明から最もよく理解される。当然のことながら、一般的な方法に従い、図面の様々な形状は、原寸ではない。図面に含まれるのは、以下の図である。
【図面の簡単な説明】
【０００９】
【図１Ａ】本発明に係る例示的実施形態による暗視単眼鏡の斜視図を示す。
【図１Ｂ】本発明に係る例示的実施形態による暗視単眼鏡の正面図を示す。
【図１Ｃ】本発明に係る例示的実施形態による暗視単眼鏡の側面図を示す。
【図１Ｄ】線１Ｄ−１Ｄに沿った図１Ｂの単眼鏡の断面図を示し、単眼鏡のいくつかの部品は省略されている。
【図１Ｅ】線１Ｅ−１Ｅに沿った図１Ｂの単眼鏡の断面図を示し、単眼鏡のいくつかの部品は省略されている。
【図２Ａ】図１Ｄ及び図１Ｅの単眼鏡の画像増強管組立体の分解図を示す。
【図２Ｂ】図２Ａの画像増強管組立体の上面斜視図を示す。
【図２Ｃ】図２Ａの画像増強管組立体の底面斜視図を示す。
【図３Ａ】線３Ａ−３Ａに沿った図２Ｂの画像増強管組立体の断面図を示す。
【図３Ｂ】図３Ａに示された画像増強管組立体と比較するための別の画像増強管組立体の断面図を示す。
【図４Ａ】図３Ａの画像増強管のハウジングの底面側斜視図を示す。
【図４Ｂ】図３Ａの画像増強管のハウジングの上面側斜視図を示す。
【図４Ｃ】図４Ａのハウジングの部分上面図を示す。
【図４Ｄ】図４Ａのハウジングの側面図を示す。
【図５Ａ】図１Ａから図１Ｅの単眼鏡の光学台の前面側斜視図である。
【図５Ｂ】図１Ａから図１Ｅの単眼鏡の光学台の背面側斜視図である。
【図５Ｃ】線５Ｃ−５Ｃに沿った図５Ｂの光学台の断面図を示す。
【図６Ａ】図２Ａの画像増強管組立体を組み立てるための治具の上面図を示す。
【図６Ｂ】図２Ａの画像増強管組立体を組み立てるための治具の側面図を示す。
【図６Ｃ】線６Ｃ−６Ｃに沿った図６Ａの治具の断面図を示し、図２Ａの画像増強管組立体は、治具内に位置して示されている。
【発明を実施するための形態】
【００１０】
図１Ａから図１Ｅは、暗視単眼鏡１０を示す。単眼鏡１０は、対物レンズ組立体１６及び光学台１４にそれぞれ取り付けられた赤外線（ＩＲ）チャンネル２３の赤外線焦点面アレイを有する。接眼レンズ２１は、対物レンズ組立体１６に対向して位置する。図１Ｄに最もよく示されたように、画像増強管組立体１２は、対物レンズ組立体１６と同一線上の光学台１４に取り付けられる。基準面「Ａ」によって画成された画像増強管組立体１２の取付面２２は、基準面「Ｂ」によって画成された画像光学台１４の取付面３７に直接取り付けられる。
【００１１】
画像増強管組立体１２は、ハウジング２０内に取り付けられた６つの基本構成要素、すなわち、ガラス面板５０、ガラス面板５０に結合された光電陰極６１、マイクロチャンネルプレート（ＭＣＰ）６０、蛍光スクリーン６３、光ファイバーインバーター６２、及び、電源５７を有する。面板５０、光電陰極６１、ＭＣＰ６０、蛍光スクリーン６３及び光ファイバーインバーター６２は、画像増強管１３を形成するため、共に組み立てられる。
【００１２】
ここで、単眼鏡１０の作用について説明すると、単眼鏡１０の対物レンズ１６は、可視光を集め、その光を画像増強管組立体１２にフォーカスする。対物レンズ１６の最も近くに位置する画像増強管組立体１２の光電陰極６１は、像平面であり、こうして、対物レンズ１６から光画像を検出し、光画像を対応する電子パターンに変換する。光電陰極６１は、感光性化合物で覆われている負電荷を帯びた電極である。光電陰極６１が、光をあてられると、吸収されたエネルギーは、光電効果によって電子放出を生じさせる。画像増強管組立体１２のＭＣＰ６０は、電子放出を増幅させる。画像増強管組立体１２の光ファイバーの蛍光スクリーン６３は、増幅された電子放出を改良された（enhanced）光画像へと変換する。ビームコンバイナ１９の最も近くに位置する画像増強管組立体１２の光ファイバーインバーター６２は、改良された光画像（画像はあらかじめ対物レンズ１６によって反転される）を、右側を上にして反転させる。ビームコンバイナ１９は、画像増強管１３及び赤外線（ＩＲ）チャンネル２３の赤外線焦点面アレイによって生成された画像を１つの結合された（single fused）画像へと結合する。
【００１３】
１つの改良された画像は、単眼鏡１０の使用者によって、視認するための接眼レンズ２１を通して表示される。それとは別に、改良された画像は、表示器にデジタル的に示されてもよく、例えば使用者の眼の前に位置するコンピュータのモニター又はマイクロディスプレイであってもよい。基本構造及び画像増強管組立体の作用の更なる詳細は、トーマスらの米国特許出願公開第７４８２５７１号明細書に開示されており、その全体は、参照によってここに組み込まれる。
【００１４】
図２Ａから図２Ｃ及び図３Ａは、画像増強管組立体１２の詳細図を示す。画像増強管組立体１２は、ハウジング２０内に取り付けられた画像増強管１３と、ハウジング２０の底部端に取り付けられたカバー２４と、を有する。図１Ｄ及び図１Ｅに示されたように、全体として取付面２２と呼ばれるハウジング２０の取付面２２Ａから２２Ｃは、３つの締結具３０（図１Ｅでは１つの締結具が示される）によって光学台１４に取り付けられる。カバー２４は、ハウジング２０の取付面２２に隣接した位置でハウジング２０の底部端に取り付けられる。画像増強管組立体１２の単眼鏡１０への組み立てにおいて、カバー２４は、物理的に光学台１４に接触しない。
【００１５】
ここで図３Ａを参照すると、画像増強管組立体１２の設計は、単眼鏡１０の視線及び解像度を低下させるチルト誤差、アライメント誤差及び変位誤差を低減する。これらの利点を実現するため、ガラス面板５０の面板表面５１は、画像増強管組立体１２の取付面２２としての同じ基準面「Ａ」に位置する。参考のため、面板表面５１は、（ｉ）光電陰極６１に対向して配置され、（ii）カバー２４を通して露出され（図２Ｃ参照）、（iii ）対物レンズ１６の最も近くに位置する（図１Ｄ参照）、面板５０の表面である。
【００１６】
画像増強管組立体１２の取付面２２は、光学台１４の取付パッド３７に直接取り付けられ、対物レンズ１６は、光学台１４に直接取り付けられる。画像増強管組立体１２の取付面２２と対物レンズ１６との両方が光学台１４に直接取り付けられるように結合された面板表面５１と取付面２２との共平面性のため、対物レンズ１６に対する画像増強管組立体１２の位置は、厳密に制御され得る。これは、画像増強管組立体１２と対物レンズ１６との間の少々の不整合であっても、単眼鏡１０の接眼レンズを通して或いはマイクロディスプレイを通して使用者に表示される画像を歪ませかねないため、重要となる。
【００１７】
ディスプレイビームコンバイナ１９を管スクリーンに直接取り付けることによって、増強管組立体１２は、前方に寄せる（front-loaded）ことができる。面板表面５１を取付面２２と同じ基準面「Ａ」に配置すると、画像増強管組立体１２は「前方に寄る」。画像増強管組立体１２を前方に寄せることは、先端傾きを顕著に低減し、フィールド湾曲の要求を適合させるために画像増強管を「後方に寄せる（back-load）」ことを不要とする。
【００１８】
図３Ｂは、図３Ａの画像増強管組立体１２との比較のための別の画像増強管組立体１５０の断面図を示す。図３Ｂの画像増強管組立体１５０は、図３Ａの画像増強管組立体１２と類似しており、すなわち、両方の組立体は、ハウジングで覆われた画像増強管と、ハウジングの底部端に取り付けられたカバーと、を有する。しかしながら、図３Ｂの画像増強管組立体１５０において、画像増強管組立体１５０の面板表面１５１は、カバー１５６の取付面１５３と同一平面ではない。図示されていないが、カバー１５６の取付面１５３は、光学システムの光学台に取り付けられており、対物レンズもその光学台に取り付けられている。
【００１９】
取付面１５３光学台から離間した面板表面１５１は、カバー１５６の寸法許容差及びカバー１５６と面板表面１５１との間に充填された充填材の存在によって変化する。従って、面板表面１５１及びそれによる画像増強管１５２の位置は、充填材１５８の存在及びカバー１５６の寸法変化のため移動し得る。こうした変化は、画像増強管組立体１５０と光学システム（図示せず）の対物レンズとの間に不整合を生じさせ、光学システムの使用者に表示された画像を歪ませる。
【００２０】
図４Ａから図４Ｄは、画像増強管組立体１２のハウジング２０の詳細図を示す。ハウジング２０は、３つの取付面２２Ａ、２２Ｂ及び２２Ｃを有する（全体として取付面２２と呼ばれる）。それぞれの取付面２２は、ハウジング２０の長手方向軸線から径方向外方へと延在する。図４Ｃに最もよく示されるように、表面２２Ａは、締結具３０を受容するための貫通孔２５（図１Ｅでは１つの締結具のみが示される）と、配置ピン３５を受容するためだけにサイズ化された円状の貫通孔２７Ａ（図５Ｂに示される）と、を画成する。
【００２１】
表面２２Ｂは、締結具３０（図１Ｅでは１つの締結具のみ示される）を受容するための貫通孔２５を画成し、且つ、配置ピン３５（図５Ｂに示す）を受容するためだけにサイズ化され、貫通孔２７Ａに対して平行に配置された（oriented）オーバル状（ovular）の通しスロット２７Ｂを画成する。通しスロット２７Ｂは、過度の応力を生じさせることなく積み上げ許容差の低減及び熱膨張率の差を可能とする。
【００２２】
表面２２Ｃは、締結具３０を受容するための貫通孔２５を画成するが、配置ピンを受容するためにサイズ化された孔又はスロットを有さない。
【００２３】
図５Ａから図５Ｃは、単眼鏡１０の光学台１４の詳細図を示す。光学台１４は、取り付け可能に対物レンズ組立体１６を受容するための対物レンズ孔３１と、赤外線（ＩＲ）チャンネルのために取り付け可能に別のレンズ組立体を受容するためのレンズ孔３９と、を有する。光学台１４は、画像増強管組立体１２が取り付けられる３つの取付パッド３７Ａから３７Ｃ（全体としてパッド３７と呼ばれる）と、と、ＩＲカメラが取り付けられる４つの取付パッド４３Ａから４３Ｄと、を有する。全ての７つの取付パッド（すなわちパッド３７Ａから３７Ｃ及びパッド４３Ａから４３Ｄ）は同一平面にあり、基準面「Ｂ」を画成する。
【００２４】
それぞれの画像増強管取付パッド３７は、締結具３０を受容するためのねじ穴３３を有する（図１Ｅでは、１つの締結具のみが示される）。２つの配置ピン３５は、取付パッド３７Ａ及び３７Ｂ上に画成された穴に固定して配置される。単眼鏡１０の組み立てられた形式において、取付パッド３７Ａの配置ピン３５は、ハウジング２０の貫通孔２７Ａを通して配置され、取付パッド３７Ｂの配置ピン３５は、ハウジング２０の通しスロット２７Ｂを通して配置され、画像増強管組立体１２を光学台１４に正確に配置する。配置ピン３５は、光学台の製造プロセスにおける対物レンズ孔３１の配置のための第２の基準及び第３の基準としても機能する。
【００２５】
図６Ａから図６Ｃは、画像増強管組立体１２を組み立てるための治具４０を示す。治具４０は、画像増強管のハウジング２０に対するＸ軸、Ｙ軸及びＺ軸に沿って画像増強管１３を位置決めする（orient）ために構成される。図６Ｃに最もよく示されるように、治具４０は、基準面「Ｃ」を画成する上面４１を有する底板４２を有する。表面４１は、基準面「Ｃ」を画成する２つの同一表面から構成され、すなわち、外部表面４１Ａは、画像増強管のハウジング２０の取付面２２Ａから２２Ｃを支持する一方で、内部表面４１Ｂは、画像増強管面板５０を支持する。
【００２６】
２つのピン４４（一方が示される）は、底板４２の外部表面４１Ａに画成された穴に固定して配置される。ピン４４は、底板４２の上面４１の上方に延在する。配置ピン４４は、画像増強管のハウジング２０の貫通孔２７Ａ及び通しスロット２７Ｂ内に配置されるようにサイズ化される。配置ピン４４は、Ｘ軸及びＹ軸に沿って画像増強管１３の位置を制御する。
【００２７】
環状凹部４６は、充填プロセス中にカバー２４を収容し且つ支持するために底板４２の上面４１から延在する。環状凹部４６は、画像増強管のハウジング２０の取付面２２がカバー２４の受容の間、画像増強管１３の面板表面５１と同一平面（すなわち基準面「Ｃ」）に位置するのを可能とするので重要である。図３Ｂを参照して前述したように、カバーと面板との間に充填材の充填を可能とする従来の設計は、配列に、好適ではない傾き及び変位を生じさせる。
【００２８】
環状凹部４６は、カバー２４が物理的に底板４２の上面４１と接触しないように、カバー２４を受容すべくサイズ化される。言い換えれば、凹部４６は、画像増強管カバー２４が、基準面「Ｃ」の下方の高さに位置することを可能とする。環状の発泡体パッド４９は、画像増強管組立体１２の組立プロセス中のカバー２４の損傷を防ぐために凹部４６内に配置される。発泡体パッド４９は、カバー２４及び面板５０間における充填材の充填も制限する。
【００２９】
第２の凹部４８は、ガラス面５０と底板４２の上面４１との間の表面領域接触を低減するため、底板４２の上面４１から延在し、それによって、画像増強管１３の機能領域（active area）におけるひっかき傷を防ぐ。内部表面４１Ｂを形成する環状リングは、画像増強管１３の機能領域の外側にある。
【００３０】
ここで画像増強管組立体１２の組立の例示的方法について参照すると、面板５０、光電陰極６１、ＭＣＰ６０及び光ファイバーインバーター６２は、画像増強管組立体１２の画像増強管１３を形成するため、ろう付け（brazing）作用によって共に結合される。次いで、ろう付けされた画像増強管１３は、電源５７を含む画像増強管のハウジング２０の内側に配置される。画像増強管カバー２４は、画像増強管のハウジング２０に取り付けられ、それによって、画像増強管１３を覆う。
【００３１】
次いで、部分的に組み立てられた画像増強管組立体１２は、画像増強管のハウジング２０の貫通孔４７Ａ及び通しスロット２７Ｂを通して配置ピン４４（図６Ｃ参照）によって治具４０の底板４２へと付勢される。画像増強管のハウジング２０の取付面２２及び面板５０の面板表面５１は、共に底板４２の表面４１Ａ及び４１Ｂにそれぞれ配置される。言い換えれば、画像増強管のハウジング２０の取付面２２及び面板５０の面板表面５１は、共に底板４２の基準面「Ｃ」に配置される。
【００３２】
治具４０のピストン５５は、画像増強管組立体１２へと下方に駆動される。治具４０のピストン５５の環状区分５６は、ハウジング２０の壁と光ファイバーインバーター６２の円筒状外部表面とを分離する環状空間へと移動させられる。ピストン５５が下方に駆動される一方で、治具４０のピストン５５の環状区分５６は、ハウジング２０の配置ピン４４及び貫通孔／通しスロット２７に対するＸ軸及びＹ軸（軸については図６Ｃを参照）に沿って画像増強管１３を配置させる。ピストン５５及び配置ピン４４の環状区分５６の相対位置は、精度よく制御される。厳格な配置が要求される場合は、アクティヴ配置システム（図示せず）が、光学的な閉じたフィードバックループを用いることによって、貫通孔／通しスロット２７に対して画像増強管１３を移動させるために用いられてもよい。
【００３３】
更にピストン５５は、画像増強管のハウジング２０及び画像増強管１３を、画像増強管のハウジング２０の取付面２２と画像増強管組立体１２の面板表面５１との両方が等しい平面（すなわち同一平面）となるように、上面４１（すなわち基準面「Ｃ」）に対してＺ方向下方に押し出し、等しい基準面「Ｃ」上に配置する。
【００３４】
次いで、充填材は、電源５７、画像増強管のハウジング２０、カバー２４及び画像増強管１３間に画成された円筒状凹部５３内へと充填される。充填材は硬化し、それによって画像増強管組立体１２の組立プロセスが完了する。図示されないが、更に少量の充填材がカバー２４の内部上面と面板表面５１との間に充填されるが、この充填は、ハウジング２０の取付面２２に対する画像増強管１３の位置に影響しない。
【００３５】
図１Ｄ及び図１Ｅに戻ると、画像増強管組立体１２が上述されたように充填されると、単眼鏡１０の光学台１４に取り付けられることが可能となる。光学台１４のピン３５は、画像増強管組立体１２の長手方向軸線が対物レンズ１６の光軸７と略一直線上に配置される（図１Ｄ参照）ようにハウジング２０の貫通孔２７Ａ及び通しスロット２７Ｂを通し、（逆も同様）滑動して設置される。次いで、光学台１４及び画像増強管のハウジング２０は、面板表面５１（図１Ｄ及び図１Ｅの基準面「Ａ」に相当）が、光学台１４の取付パッド３７と同じ面（図１Ｄ及び図１Ｅの基準面「Ｂ」に相当）となり、且つ、面板表面５１が、対物レンズ１６の光軸７に対して略垂直となるように、画像増強管組立体１２の取付面２２が光学台１４の取付パッド３７に当接するまで互いに移動させられる。
【００３６】
配置ピン３５、貫通孔２７Ａ及び通しスロット２７Ｂは、単眼鏡１０の所定の解像度及び画像配置要求を満たすべく、Ｘ軸及びＹ軸に沿った光学台１４に対する画像増強管組立体１２の正確な配置を確実とするため、それぞれサイズ化される。締結具３０は、ハウジング２０の貫通孔２５を通して挿入され、画像増強管のハウジング２０（且つ、こうして画像増強管組立体）を光学台１４へと設置するため、その相補的なねじ穴３３へとねじ込まれる。次いで、サーマルカメラブラケット１７が、画像増強管組立体１２と類似の方法で光学台１４の取付パッド４３に取り付けられる。
【００３７】
総じて、対物レンズ組立体１６に対する画像増強管１３の配置は、対物レンズ１６が係合された対物レンズ孔３１が配置ピン３５に対して配置されるため、Ｘ軸及びＹ軸に沿って厳密に制御されることができ、配置ピン３５は、ハウジング２０の貫通孔２７Ａ及び通しスロット２７Ｂに配置され、且つ、画像増強管１３は、（図６Ｃで示したように）ハウジング２０の貫通孔２７Ａ及び通しスロット２７Ｂに対して配置される。
【００３８】
本発明は、ここで、詳細な実施形態を参照しつつ示され且つ説明されたが、本発明は、示された詳細に限定されるものではない。むしろ、様々な変形例が、請求項の均等物の範囲及び領域内で、本発明の精神から逸脱することなく詳細に作られてもよい。例えば、本発明に係る詳細は、単眼鏡に限定されず、例えばカメラ、カムコーダー、暗視ゴーグル及び暗視スコープといった任意の光学システムに適用してもよい。
【図１Ａ】
2013539870.tif 000003
【図１Ｂ】
2013539870.tif 000004
【図１Ｃ】
2013539870.tif 000005
【図１Ｄ】
2013539870.tif 000006
【図１Ｅ】
2013539870.tif 000007
【図２Ａ】
2013539870.tif 000008
【図２Ｂ】
2013539870.tif 000009
【図２Ｃ】
2013539870.tif 000010
【図３Ａ】
2013539870.tif 000011
【図３Ｂ】
2013539870.tif 000012
【図４Ａ】
2013539870.tif 000013
【図４Ｂ】
2013539870.tif 000014
【図４Ｃ】
2013539870.tif 000015
【図４Ｄ】
2013539870.tif 000016
【図５Ａ】
2013539870.tif 000017
【図５Ｂ】
2013539870.tif 000018
【図５Ｃ】
2013539870.tif 000019
【図６Ａ】
2013539870.tif 000020
【図６Ｂ】
2013539870.tif 000021
【図６Ｃ】
2013539870.tif 000022
【国際調査報告】
2013539870.tif 000023
2013539870.tif 000024